(57)【要約】      （修正有）【課題】複数のデータに対するＡＣＫ／ＮＡＣＫを送信するための直交リソースを複数割り当てる。【解決手段】送信処理部１５において、ＡＣＫ／ＮＡＣＫ多重部４１ａ、ＡＣＫ／ＮＡＣＫ多重記憶部４１ｄ、ＱＰＳＫ変調部４１ｂ、拡散部４１ｃにより上りリンク制御チャネル送信処理部４１を構成し、符号化部４３ａ、変調部４３ｂ、ＤＦＴ部４３ｃにより上りリンク共用チャネル送信処理部４３を構成する。ＡＣＫ／ＮＡＣＫ多重記憶部４１ｄは、ＡＣＫ／ＮＡＣＫ多重部４１ａに入力される各下りリンクのキャリア要素で送信される下りリンク共用チャネルに対するＡＣＫ／ＮＡＣＫと対応する上りリンク制御チャネルの直交リソースと、上りリンク制御チャネルで送信する情報（ビット系列）を表の形で記憶している。【選択図】図９
2010252257.tif 000002
【特許請求の範囲】
【請求項１】
基地局装置と複数の移動局装置との間で複数の周波数帯域により複数のデータを同時に送受信し、複数の前記データの無線リソース割り当てを示す制御情報を送受信する無線通信システムであって、
前記移動局装置は、
各データのＡＣＫ／ＮＡＣＫと対応する直交リソース及びビット系列の表を、前記基地局装置から受信する可能性のあるデータの数毎に記憶する第１のＡＣＫ／ＮＡＣＫ多重記憶部と、
前記基地局装置から受信したデータの数に基づき前記第１のＡＣＫ／ＮＡＣＫ多重記憶部に記憶されている表を参照し、前記複数のデータに対する複数のＡＣＫ／ＮＡＣＫとの組合せに基づいて、ＡＣＫ／ＮＡＣＫの送信に用いる１つの直交リソースと、前記直交リソースで送信するビット系列と、を選択するＡＣＫ／ＮＡＣＫ多重部と、
前記ＡＣＫ／ＮＡＣＫ多重部で選択した直交リソースを用いて前記ビット系列からなる信号を送信する送信処理部と、を具備し、
前記基地局装置は、
前記移動局装置がビット系列からなる信号を送信した直交リソースを受信する受信処理部と、
各データのＡＣＫ／ＮＡＣＫと対応する直交リソース及びビット系列の表を、前記移動局装置に送信する可能性のあるデータの数毎に記憶する第２のＡＣＫ／ＮＡＣＫ多重記憶部と、
前記移動局装置に送信したデータの数に基づき、前記第２のＡＣＫ／ＮＡＣＫ多重記憶部に記憶されている表を参照し、前記受信した直交リソースと、前記直交リソースで受信したビット系列との組合せに基づいて、前記複数のデータに対するＡＣＫ／ＮＡＣＫを生成するＡＣＫ／ＮＡＣＫ多重分離部と、を具備することを特徴とする無線通信システム。
【請求項２】
前記第１及び第２のＡＣＫ／ＮＡＣＫ多重記憶部に記憶されている表に用いられる直交リソースの数は、前記データに対するＡＣＫ／ＮＡＣＫがとりうる組合せの総数を、ＡＣＫ／ＮＡＣＫの送信に用いる変調方式の変調多値数又は前記ビット系列の情報量で除算し、小数点以下を切り上げた数であることを特徴とする請求項１に記載の無線通信システム。
【請求項３】
前記基地局装置は、前記移動局装置に割り当てる前記直交リソースの数を制限するか否かを決定し、制限する場合には制限する直交リソースの上限値を含む決定結果を前記移動局装置に通知し、
前記移動局装置のＡＣＫ／ＮＡＣＫ多重部は、前記データに対するＡＣＫ／ＮＡＣＫの組合せの総数から求まる上りリンク制御チャネルの直交リソースの数が、前記通知された上限値を越える場合は、直交リソースの数を制限されていない場合とは異なる表を前記第１のＡＣＫ／ＮＡＣＫ多重記憶部より参照し、
前記基地局装置のＡＣＫ／ＮＡＣＫ多重分離部は、前記データに対するＡＣＫ／ＮＡＣＫの組合せの総数から求まる上りリンク制御チャネルの直交リソースの数が、上限値を越える場合は、上限値を越えない場合とは異なる表を前記第２のＡＣＫ／ＮＡＣＫ多重記憶部より参照することを特徴とする請求項１又は２に記載の無線通信システム。
【請求項４】
前記基地局装置は、無線通信している前記移動局装置の数が多い場合に、前記移動局装置に割り当てる前記直交リソースの数の制限を決定し、無線通信している前記移動局装置の数が少ない場合に、前記移動局装置に割り当てる直交リソースの数を制限しないことを決定することを特徴とする請求項３に記載の無線通信システム。
【請求項５】
前記基地局装置と前記移動局装置の前記第１及び第２のＡＣＫ／ＮＡＣＫ多重記憶部が記憶している表は、前記データに対するＮＡＣＫの数が予め定められた数よりも多い場合は、同じ直交リソースと情報に対応していることを特徴とする請求項３に記載の無線通信システム。
【請求項６】
複数の周波数帯域により基地局装置からの複数のデータを同時に受信する移動局装置であって、
各データのＡＣＫ／ＮＡＣＫと対応する直交リソース及びビット系列の表を、前記基地局装置から受信する可能性のあるデータの数毎に記憶する第１のＡＣＫ／ＮＡＣＫ多重記憶部と、
前記基地局装置から受信したデータの数に基づき前記第１のＡＣＫ／ＮＡＣＫ多重記憶部に記憶されている表を参照し、前記複数のデータに対する複数のＡＣＫ／ＮＡＣＫとの組合せに基づいて、ＡＣＫ／ＮＡＣＫの送信に用いる１つの直交リソースと、前記直交リソースで送信するビット系列を選択するＡＣＫ／ＮＡＣＫ多重部と、
前記ＡＣＫ／ＮＡＣＫ多重部で選択した直交リソースを用いて前記ビット系列からなる信号を送信する送信処理部と、を具備することを特徴とする移動局装置。
【請求項７】
複数の周波数帯域により複数のデータを移動局装置に同時に送信する基地局装置であって、
前記移動局装置がビット系列からなる信号を送信した直交リソースを受信する受信処理部と、
各データのＡＣＫ／ＮＡＣＫと対応する直交リソース及びビット系列の表を、前記移動局装置に送信する可能性のあるデータの数毎に記憶する第２のＡＣＫ／ＮＡＣＫ多重記憶部と、
前記移動局装置に送信したデータの数に基づき、前記第２のＡＣＫ／ＮＡＣＫ多重記憶部に記憶されている表を参照し、前記受信した直交リソースと、前記直交リソースで受信したビット系列との組合せに基づいて、前記複数のデータに対するＡＣＫ／ＮＡＣＫを生成するＡＣＫ／ＮＡＣＫ多重分離部を具備することを特徴とする基地局装置。
【請求項８】
複数の周波数帯域により基地局装置からの複数のデータを同時に受信する無線通信方法であって、
各データのＡＣＫ／ＮＡＣＫと対応する直交リソース及びビット系列の表を、前記基地局装置から受信する可能性のあるデータの数毎に記憶する第１のステップと、
前記基地局装置から受信したデータの数に基づき前記第１のステップで記憶されている表を参照し、前記複数のデータに対する複数のＡＣＫ／ＮＡＣＫとの組合せに基づいて、ＡＣＫ／ＮＡＣＫの送信に用いる１つの直交リソースと、前記直交リソースで送信するビット系列を選択する第２のステップと、
前記第２のステップで選択した直交リソースを用いて前記ビット系列からなる信号を送信する第３のステップと、を具備することを特徴とする無線通信方法。
【請求項９】
複数の周波数帯域により複数のデータを移動局装置に同時に送信する無線通信方法であって、
各データのＡＣＫ／ＮＡＣＫと対応する直交リソース及びビット系列の表を、前記移動局装置に送信する可能性のあるデータの数毎に記憶する第１のステップと、
前記移動局装置がビット系列からなる信号を送信した直交リソースを受信する第２のステップと、
前記移動局装置に送信したデータの数に基づき、前記第１のステップで記憶されている表を参照し、前記受信した直交リソースと、前記直交リソースで受信したビット系列との組合せに基づいて、前記複数のデータに対するＡＣＫ／ＮＡＣＫを生成する第３のステップと、を具備することを特徴とする無線通信方法。
【請求項１０】
請求項８又は９に記載の無線通信方法をコンピュータに実行させるためのプログラム。
【発明の詳細な説明】
【技術分野】
【０００１】
本発明は、無線通信システム、基地局装置、移動局装置、無線通信方法及びプログラムに関する。
【背景技術】
【０００２】
セルラー移動通信の無線アクセス方式及び無線ネットワークの進化（以下、「Long Term Evolution（ＬＴＥ）、または、「Evolved Universal Terrestrial Radio Access（ＥＵＴＲＡ）」と称する。）、及び、より広帯域な周波数を利用して、さらに高速なデータの通信を実現する無線アクセス方式及び無線ネットワーク（以下、「Long Term Evolution-Advanced（ＬＴＥ−Ａ）、または、「Advanced Evolved Universal Terrestrial Radio Access」と称する。）が、第三世代パートナーシッププロジェクト（3rd Generation Partnership Project；３ＧＰＰ）において検討されている。
【０００３】
ＬＴＥにおいて、基地局装置から移動局装置への無線通信の下りリンクは、下りリンク制御チャネル（Physical Downlink Control Channel；ＰＤＣＣＨ）、下りリンク共用チャネル（Physical Downlink Shared Channel；ＰＤＳＣＨ）などが用いられる。また、移動局装置から基地局装置への無線通信の上りリンクでは、上りリンク共用チャネル（ＰＵＳＣＨ：Physical Uplink Shared Channel）、上りリンク制御チャネル（ＰＵＣＣＨ：Physical Uplink Control Channel）などが用いられる。
【０００４】
ＬＴＥでは、下りリンクとして、マルチキャリア送信である直交周波数分割多重（Orthogonal Frequency Division Multiplexing；ＯＦＤＭ）方式が用いられる。また、上りリンクとして、シングルキャリア送信であるＳＣ−ＦＤＭＡ（Single Carrier Frequency Division Multiple Access）方式が用いられる。
【０００５】
上りリンク制御チャネルの送信では、ＳＣ−ＦＤＭＡを想定して分割された無線リソースにおいて、ＣＡＺＡＣ（Constant Amplitude and Zero Auto-Correlation）系列、及び、ＣＡＺＡＣ系列と直交符号とを用いた符号拡散によるＣＤＭ（Code Division Multiple：符号多重）が採用されている。ＣＡＺＡＣ系列とは、時間領域および周波数領域において一定振幅かつ自己相関特性に優れた系列のことである。時間領域で一定振幅であることからＰＡＰＲ（Peak to Average Power Ration）を低く抑えることが可能である。
【０００６】
下りリンク共用チャネルの復号の成否を示すＡＣＫ（ACKnowledgement；肯定応答）／ＮＡＣＫ（Negative-ACKnowledgement；否定応答）の送信に用いる上りリンク制御チャネルでは、ＡＣＫ／ＮＡＣＫの変調シンボルを、ＣＡＺＡＣ系列で周波数領域に拡散し、直交符号で時間領域に拡散する方法が採用されている。各上りリンク制御チャネルに対して時間領域において異なる巡回シフト（cyclic shift）のＳＣ−ＦＤＭＡシンボルとなるＣＡＺＡＣ系列を与えることで符号多重をしている。以下、説明の簡略化のため、無線リソースと異なる巡回シフトのＣＡＺＡＣ系列と直交符号との組合せを直交リソースと称する。
【０００７】
ＬＴＥでは、下りリンク制御チャネルを構成する無線リソースと、下りリンク制御チャネルが対応する下りリンク共用チャネルに対するＡＣＫ／ＮＡＣＫの送信に用いる上りリンク制御チャネルの直交リソースが一対一に対応付けられる。移動局装置は、自局装置宛ての下りリンク制御チャネルを構成する１つ以上の無線リソースの中で予め定められた位置の無線リソースと対応する上りリンク制御チャネルの直交リソースを用いてＡＣＫ／ＮＡＣＫを送信する。（下記非特許文献１の第１０章参照）。
【０００８】
基地局装置は、移動局装置から受信したＡＣＫ／ＮＡＣＫに応じて再送制御を行なう。具体的には、基地局装置は、ＡＣＫを受信した場合、移動局装置がＡＣＫの対応する下りリンク共用チャネルの復号に成功したと認識し、対応する下りリンク共用チャネルの送信処理を終了する。基地局装置が、ＮＡＣＫを受信した場合、移動局装置がＮＡＣＫの対応する下りリンク共用チャネルの復号に失敗したと認識し、対応する下りリンク共用チャネルを再送し、移動局装置は、バッファに保存している復号に失敗した下りリンク共用チャネルと、再送された下りリンク共用チャネルとを用いて、再び復号処理を行なう。
【０００９】
ＬＴＥ−Ａでは、一般的な移動通信システムで使用する周波数帯域は連続であるのに対し、連続／不連続な複数の周波数帯域（以下、「キャリア要素（ＣＣ：Carrier Component）」、または、「コンポーネントキャリア（ＣＣ：Component Carrier）」と称する。）を複合的に使用して、１つの周波数帯域（広帯域な周波数帯域）として運用する（周波数帯域集約：Spectrum aggregation、Carrier aggregation、Frequency aggregationなどとも称される。）ことが提案されている。また、上りリンクと下りリンクの各キャリア要素で、下りリンク共用チャネルや上りリンク共用チャネルなどの、ＬＴＥと同じチャネルを送信することが検討されている（下記非特許文献２ 第５章参照）。
【００１０】
図１７は、従来技術における周波数帯域集約の一例を示す図である。図１７において、横軸は周波数領域、縦軸は時間領域を示す。図１７に示すように、下りリンク（上図）は、２０ＭＨｚの帯域幅を持った５つのキャリア要素（ＤＣＣ−０：Downlink Component Carrier-0、ＤＣＣ−１、ＤＣＣ−２、ＤＣＣ−３、ＤＣＣ−４）によって構成されている。下りリンクのキャリア要素において、下りリンク制御チャネルと下りリンク共用チャネルは時間多重される。一方、上りリンク（下図）は、２０ＭＨｚの帯域幅を持った５つのキャリア要素（ＵＣＣ−０：Uplink Component Carrier-0、ＵＣＣ−１、ＵＣＣ−２、ＵＣＣ−３、ＵＣＣ−４）によって構成されている。上りリンクのキャリア要素において、上りリンク制御チャネルと上りリンク共用チャネルは周波数多重される。
【００１１】
図１７に示す無線通信システムにおいて、基地局装置と移動局装置とは、上りリンクと下りリンクの各キャリア要素を用いて、５つの下りリンクのキャリア要素それぞれを使用して、同一サブフレームで５つ（まで）の下りリンク共用チャネルのデータを送受信することができ、５つの上りリンクのキャリア要素それぞれを使用して、同一サブフレームで５つ（まで）の上りリンク共用チャネルのデータを送受信することができる。
【００１２】
また、ＬＴＥ−Ａでは、周波数帯域集約において、下りリンク制御チャネルの情報量を削減するために、１つの下りリンク制御チャネルで複数の下りリンクのキャリア要素の下りリンク共用チャネルの無線リソースの割り当てを示すことが提案されている（下記非特許文献３参照）。
【００１３】
以上の構成により、１つの下りリンク制御チャネルで１つの下りリンク共用チャネルの無線リソースを示す場合と比較して、重複する不必要な情報を省略することができる。
【００１４】
関連する技術文献としては、以下のものが挙げられる。
【００１５】
図１８は、従来技術におけるチャネル間の関係の一例を示す図である。図１８では、図１７のような周波数帯域集約をしている無線通信システムにおける、下りリンク制御チャネルと下りリンク共用チャネルと上りリンク制御チャネルの関係を示している。図１８において、横軸は周波数領域である。図１８に示すように、ＤＣＣ−２の下りリンク制御チャネルで、ＤＣＣ−０からＤＣＣ−５までの下りリンク共用チャネルに関する無線リソース割り当て情報を含む下りリンクグラントが送信され、ＤＣＣ−０からＤＣＣ−５で５個の下りリンク共用チャネルが送信される。各下りリンク共用チャネルに対するＡＣＫ／ＮＡＣＫを送信するために、ＤＣＣ−２で送信された下りリンク制御チャネルを構成する無線リソースの中で予め定められた位置の無線リソースと対応する上りリンク制御チャネルの直交リソースが、移動局装置に割り当てられる。
【先行技術文献】
【非特許文献】
【００１６】
【非特許文献１】"3GPP TS36.213 v8.5.0 (2008-12)", December, 2008.
【非特許文献２】"3GPP TR36.814 v0.4.1 (2009-02)", February, 2009.
【非特許文献３】"PDCCH structure for multiple component carriers", 3GPP TSG RAN WG1  Meeting #56, R1-091065, February 9-13, 2009.
【発明の概要】
【発明が解決しようとする課題】
【００１７】
しかしながら、１つの下りリンク制御チャネルで複数の下りリンクのキャリア要素の下りリンク共用チャネルの無線リソースの割り当てを示す場合、下りリンク制御チャネルの無線リソースと、ＡＣＫ／ＮＡＣＫの送信に用いる上りリンク制御チャネルの直交リソースとに関する従来の対応付けでは、１つの下りリンク制御チャネルに対するＡＣＫ／ＮＡＣＫの送信に用いる上りリンク制御チャネルの直交リソースは１つしかないため、複数の下りリンク共用チャネルに対するＡＣＫ／ＮＡＣＫを送信することができないという問題があった。
【００１８】
本発明は、１つの下りリンク制御チャネルで複数の下りリンクのキャリア要素の下りリンク共用チャネルの無線リソースの割り当てを示す無線通信システムにおいて、ＡＣＫ／ＮＡＣＫを送信するのに充分な数の上りリンク制御チャネルの直交リソースを移動局装置に割り当て、適切な再送制御を実現することを目的とする。
【課題を解決するための手段】
【００１９】
本発明の一観点によれば、基地局装置と複数の移動局装置との間で複数の周波数帯域により複数のデータを同時に送受信し、複数の前記データの無線リソース割り当てを示す制御情報を送受信する無線通信システムであって、前記移動局装置は、各データのＡＣＫ／ＮＡＣＫと対応する直交リソース及びビット系列の表を、前記基地局装置から受信する可能性のあるデータの数毎に記憶する第１のＡＣＫ／ＮＡＣＫ多重記憶部と、前記基地局装置から受信したデータの数に基づき前記第１のＡＣＫ／ＮＡＣＫ多重記憶部に記憶されている表を参照し、前記複数のデータに対する複数のＡＣＫ／ＮＡＣＫとの組合せに基づいて、ＡＣＫ／ＮＡＣＫの送信に用いる１つの直交リソースと、前記直交リソースで送信するビット系列と、を選択するＡＣＫ／ＮＡＣＫ多重部と、前記ＡＣＫ／ＮＡＣＫ多重部で選択した直交リソースを用いて前記ビット系列からなる信号を送信する送信処理部と、を具備し、前記基地局装置は、前記移動局装置がビット系列からなる信号を送信した直交リソースを受信する受信処理部と、各データのＡＣＫ／ＮＡＣＫと対応する直交リソース及びビット系列の表を、前記移動局装置に送信する可能性のあるデータの数毎に記憶する第２のＡＣＫ／ＮＡＣＫ多重記憶部と、前記移動局装置に送信したデータの数に基づき、前記第２のＡＣＫ／ＮＡＣＫ多重記憶部に記憶されている表を参照し、前記受信した直交リソースと、前記直交リソースで受信したビット系列との組合せに基づいて、前記複数のデータに対するＡＣＫ／ＮＡＣＫを生成するＡＣＫ／ＮＡＣＫ多重分離部と、を具備することを特徴とする無線通信システムが提供される。
【００２０】
また、前記第１及び第２のＡＣＫ／ＮＡＣＫ多重記憶部に記憶されている表に用いられる直交リソースの数は、前記データに対するＡＣＫ／ＮＡＣＫがとりうる組合せの総数を、ＡＣＫ／ＮＡＣＫの送信に用いる変調方式の変調多値数又は前記ビット系列の情報量で除算し、小数点以下を切り上げた数であることが好ましい。別の表現で表すと、「各下りリンク共用チャネルに対するＡＣＫ／ＮＡＣＫを送信するために必要な上りリンク制御チャネルの直交リソースの数」又は「基地局装置と移動局装置間で送受信される複数のＡＣＫ／ＮＡＣＫを送信するために必要な上りリンク制御チャネルの直交リソースの数」である。
【００２１】
また、前記基地局装置は、前記移動局装置に割り当てる前記直交リソースの数を制限するか否かを決定し、制限する場合には制限する直交リソースの上限値を含む決定結果を前記移動局装置に通知し、前記移動局装置のＡＣＫ／ＮＡＣＫ多重部は、前記データに対するＡＣＫ／ＮＡＣＫの組合せの総数から求まる上りリンク制御チャネルの直交リソースの数が、前記通知された上限値を越える場合は、直交リソースの数を制限されていない場合とは異なる表を前記第１のＡＣＫ／ＮＡＣＫ多重記憶部より参照し、前記基地局装置のＡＣＫ／ＮＡＣＫ多重分離部は、前記データに対するＡＣＫ／ＮＡＣＫの組合せの総数から求まる上りリンク制御チャネルの直交リソースの数が、上限値を越える場合は、上限値を越えない場合とは異なる表を前記第２のＡＣＫ／ＮＡＣＫ多重記憶部より参照することが好ましい。
【００２２】
前記基地局装置は、無線通信している前記移動局装置の数が多い場合に、前記移動局装置に割り当てる前記直交リソースの数の制限を決定し、無線通信している前記移動局装置の数が少ない場合に、前記移動局装置に割り当てる直交リソースの数を制限しないことを決定することが好ましい。前記基地局装置と前記移動局装置の前記第１及び第２のＡＣＫ／ＮＡＣＫ多重記憶部が記憶している表は、前記データに対するＮＡＣＫの数が予め定められた数よりも多い場合は、同じ直交リソースと情報に対応していることが好ましい。
【００２３】
また、本発明は、複数の周波数帯域により基地局装置からの複数のデータを同時に受信する移動局装置であって、各データのＡＣＫ／ＮＡＣＫと対応する直交リソース及びビット系列の表を、前記基地局装置から受信する可能性のあるデータの数毎に記憶する第１のＡＣＫ／ＮＡＣＫ多重記憶部と、前記基地局装置から受信したデータの数に基づき前記第１のＡＣＫ／ＮＡＣＫ多重記憶部に記憶されている表を参照し、前記複数のデータに対する複数のＡＣＫ／ＮＡＣＫとの組合せに基づいて、ＡＣＫ／ＮＡＣＫの送信に用いる１つの直交リソースと、前記直交リソースで送信するビット系列を選択するＡＣＫ／ＮＡＣＫ多重部と、前記ＡＣＫ／ＮＡＣＫ多重部で選択した直交リソースを用いて前記ビット系列からなる信号を送信する送信処理部と、を具備することを特徴とする移動局装置であっても良い。
【００２４】
また、本発明は、複数の周波数帯域により複数のデータを移動局装置に同時に送信する基地局装置であって、前記移動局装置がビット系列からなる信号を送信した直交リソースを受信する受信処理部と、各データのＡＣＫ／ＮＡＣＫと対応する直交リソース及びビット系列の表を、前記移動局装置に送信する可能性のあるデータの数毎に記憶する第２のＡＣＫ／ＮＡＣＫ多重記憶部と、前記移動局装置に送信したデータの数に基づき、前記第２のＡＣＫ／ＮＡＣＫ多重記憶部に記憶されている表を参照し、前記受信した直交リソースと、前記直交リソースで受信したビット系列との組合せに基づいて、前記複数のデータに対するＡＣＫ／ＮＡＣＫを生成するＡＣＫ／ＮＡＣＫ多重分離部を具備することを特徴とする基地局装置であっても良い。
【００２５】
さらに、本発明は、複数の周波数帯域により基地局装置からの複数のデータを同時に受信する無線通信方法であって、各データのＡＣＫ／ＮＡＣＫと対応する直交リソース及びビット系列の表を、前記基地局装置から受信する可能性のあるデータの数毎に記憶する第１のステップと、前記基地局装置から受信したデータの数に基づき前記第１のステップで記憶されている表を参照し、前記複数のデータに対する複数のＡＣＫ／ＮＡＣＫとの組合せに基づいて、ＡＣＫ／ＮＡＣＫの送信に用いる１つの直交リソースと、前記直交リソースで送信するビット系列を選択する第２のステップと、前記第２のステップで選択した直交リソースを用いて前記ビット系列からなる信号を送信する第３のステップと、を具備することを特徴とする無線通信方法であっても良い。
【００２６】
また、複数の周波数帯域により複数のデータを移動局装置に同時に送信する無線通信方法であって、各データのＡＣＫ／ＮＡＣＫと対応する直交リソース及びビット系列の表を、前記移動局装置に送信する可能性のあるデータの数毎に記憶する第１のステップと、前記移動局装置がビット系列からなる信号を送信した直交リソースを受信する第２のステップと、前記移動局装置に送信したデータの数に基づき、前記第１のステップで記憶されている表を参照し、前記受信した直交リソースと、前記直交リソースで受信したビット系列との組合せに基づいて、前記複数のデータに対するＡＣＫ／ＮＡＣＫを生成する第３のステップと、を具備することを特徴とする無線通信方法であっても良い。
【００２７】
本発明は、上記に記載の無線通信方法をコンピュータに実行させるためのプログラムであっても良く、該風呂グラムを記録するコンピュータ読み取り可能な記録媒体であっても良い。プログラムは、インターネットなどの伝送媒体によって取得可能なものでも良い。
【発明の効果】
【００２８】
本発明によれば、１つの下りリンク制御チャネルで複数の下りリンクのキャリア要素の下りリンク共用チャネルの無線リソースの割り当てを示す無線通信システムにおいて、ＡＣＫ／ＮＡＣＫを送信するのに充分な数の上りリンク制御チャネルの直交リソースを移動局装置に割り当て、適切な再送制御を実現することができる。
【図面の簡単な説明】
【００２９】
【図１】本発明の第１の実施の形態における無線通信技術におけるチャネルの一構造例を示す図である。
【図２】本実施の形態における周波数帯域集約処理の一例を示す図である。
【図３】本実施の形態における下りリンクキャリア要素の無線フレームの概略構成例を示す図である。
【図４】本実施の形態における上りリンクキャリア要素の無線フレームの概略構成例を示す図である。
【図５】本実施の形態におけるチャネル間の関係の一例を示す図である。
【図６】本実施の形態における上りリンク制御チャネルと制御チャネル要素の対応の一例を示す図である。
【図７】本実施の形態における移動局装置の一構成例を示す機能ブロック図である。
【図８】本実施の形態における移動局装置の受信処理部の一構成例を示す機能ブロック図である。
【図９】本実施の形態における移動局装置の送信処理部の一構成例を示す機能ブロック図である。
【図１０】本実施の形態におけるＡＣＫ／ＮＡＣＫと上りリンク制御チャネルとの対応表の一例を示す図である。
【図１１】本実施の形態における基地局装置の一構成例を示す機能ブロック図である。
【図１２】本実施の形態における基地局装置の送信処理部の一構成例を示す機能ブロック図である。
【図１３】本実施の形態における基地局装置の受信処理部の一構成例を示す機能ブロック図である。
【図１４】本実施の形態における基地局装置のフローの一例を示す図である。
【図１５】本実施の形態における移動局装置のフローの一例を示す図である。
【図１６】本発明の第２の実施の形態におけるＡＣＫ／ＮＡＣＫと上りリンク制御チャネルとの対応の一例を示す図である。
【図１７】従来技術における周波数帯域集約処理の一例を示す図である。
【図１８】従来技術におけるチャネル間の関係の一例を示す図である。
【発明を実施するための形態】
【００３０】
（第１の実施の形態）
以下、本発明の第１の実施の形態について説明する。本実施の形態による無線通信システムは、基地局装置と複数の移動局装置とを具備する。図１は、本実施の形態における無線通信におけるチャネルの構造例を示す図である。基地局装置１は、移動局装置２ａ〜２ｃ（移動局装置の数は任意であり、符号２で代表して以下の説明を行う。）と複数のキャリア要素（無線信号など）を用いて無線通信を行う。
【００３１】
本実施の形態において、基地局装置１から移動局装置２への無線通信の下りリンクは、下りリンクパイロットチャネル（または、「下りリンクリファレンスシグナル（Downlink Reference Signal；ＤＬ ＲＳ）」とも称する。）、下りリンク制御チャネル（Physical Downlink Control Channel；ＰＤＣＣＨ）、下りリンク共用チャネル（Physical Downlink Shared Channel；ＰＤＳＣＨ）などを備える。また、本実施の形態において、移動局装置２から基地局装置１への無線通信の上りリンクは、上りリンクパイロットチャネル（または、「上りリンクリファレンスシグナル（Uplink Reference Signal；ＵＬ ＲＳ）」とも称する。）、上りリンク制御チャネル（ＰＵＣＣＨ：Physical Uplink Control Channel）、上りリンク共用チャネル（ＰＵＳＣＨ：Physical Uplink Shared Channel）を備える。
【００３２】
（周波数帯域集約）
本実施の形態では、従来技術と同じような周波数帯域集約をする。図２は、本実施の形態における周波数帯域集約処理の一例を示す図である。図２において、横軸は周波数領域、縦軸は時間領域を示す。図２に示すように、下りリンク（上図）は、２０ＭＨｚの帯域幅を持った５つのキャリア要素（ＤＣＣ−０：Downlink Component Carrier-0、ＤＣＣ−１、ＤＣＣ−２、ＤＣＣ−３、ＤＣＣ−４）によって構成されている。下りリンクのキャリア要素において、下りリンク制御チャネルと下りリンク共用チャネルとは時間多重される。一方、上りリンク（下図）は、２０ＭＨｚの帯域幅を持った５つのキャリア要素（ＵＣＣ−０：Uplink Component Carrier-0、ＵＣＣ−１、ＵＣＣ−２、ＵＣＣ−３、ＵＣＣ−４）によって構成されている。上りリンクのキャリア要素において、上りリンク制御チャネルと上りリンク共用チャネルは周波数多重される。
【００３３】
図２に示す無線通信システムにおいて、基地局装置と移動局装置とは、５つの下りリンクのキャリア要素それぞれを使用して、同一サブフレームで５つ（まで）の下りリンク共用チャネルのデータを送受信することができ、５つの上りリンクのキャリア要素それぞれを使用して、同一サブフレームで５つ（まで）の上りリンク共用チャネルのデータを送受信することができる。
【００３４】
（下りリンク無線フレーム）
図３は、本実施の形態における下りリンクのキャリア要素の無線フレームの概略構成例を示す図である。図３において、横軸は時間領域、縦軸は周波数領域である。下りリンクのキャリア要素の無線フレームは、複数の下りリンクの物理リソースブロック（ＰＲＢ；Physical Resource Block）ペア（図３において、点線で囲まれている単位）から構成されている。この下りリンクの物理リソースブロックペアは、無線リソースの割り当てなどの単位であり、予め決められた幅の周波数帯（ＰＲＢ帯域幅）および時間帯（２個のスロット＝１個のサブフレーム）からなる。１個の下りリンクの物理リソースブロックペアは、基本的に時間領域で連続する２個の下りリンクの物理リソースブロック（ＰＲＢ帯域幅×スロット）から構成される。１個の下りリンクの物理リソースブロック（図３において、太線で囲まれている単位）は、周波数領域において１２個のサブキャリアから構成され、時間領域において７個のＯＦＤＭシンボルから構成される。
【００３５】
時間領域においては、７個のＯＦＤＭシンボルから構成されるスロット、２個のスロットから構成されるサブフレーム、１０個のサブフレームから構成される無線フレームがある。周波数領域においては、下りリンクのキャリア要素の帯域幅に応じて複数の下りリンクの物理リソースブロックが配置される。尚、１個のサブキャリアと１個のＯＦＤＭシンボルから構成されるユニットを下りリンクのリソースエレメントという。
【００３６】
下りリンクのキャリア要素の各サブフレームには、少なくとも、下りリンク制御チャネルと、下りリンク共用チャネルと、下りリンク制御チャネルおよび下りリンク共用チャネルの伝搬路推定に用いる下りリンクパイロットチャネルと、が配置される。下りリンク制御チャネルは、サブフレームの先頭のＯＦＤＭシンボルから配置され、下りリンク共用チャネルは、残りのＯＦＤＭシンボルに配置される。下りリンクパイロットチャネルについては、説明の簡略化のため図３において図示を省略するが、下りリンクパイロットチャネルは周波数領域と時間領域において分散して配置される。
【００３７】
下りリンク共用チャネルでは、データ（トランスポートブロック；Transport Block）が送信される。下りリンク制御チャネルでは、下りリンク共用チャネルに対する変調方式を示す情報、符号化方式を示す情報、無線リソースの割り当てを示す情報、ＨＡＲＱに関する情報などから構成される下りリンクグラント（Downlink grant）などの下りリンク制御情報（Downlink Control information；ＤＣＩ）が送信される。
【００３８】
下りリンクグラントにより無線リソースの割り当てが示された下りリンク共用チャネルは、この下りリンクグラントの情報を含む下りリンク制御チャネルと同一のサブフレームに配置される。また、下りリンクグラントは、１つのサブフレームの中で１つの移動局装置に対して１つまで生成され、１つの下りリンクグラントに複数の下りリンク共用チャネルに対する情報が含まれる。
【００３９】
下りリンク制御チャネルは、複数の制御チャネル要素（Control Channel Element；ＣＣＥ）から構成される。制御チャネル要素は、周波数時間領域において分散している複数のリソースエレメントグループ（Resource Element Group；ＲＥＧ。また、ｍｉｎｉ−ＣＣＥとも称する。）から構成される。リソースエレメントグループ（ＲＥＧ）は、同一ＯＦＤＭシンボル内の周波数領域において、下りリンクパイロットチャネルを除いて、周波数領域で連続している４個の下りリンクのリソースエレメントから構成される。従来技術では、下りリンク制御チャネルは制御チャネル要素を識別する番号が連続している１個、２個、４個、または８個の制御チャネル要素から構成されるが、本実施の形態はこれに限定されるものではない。
【００４０】
（上りリンク無線フレーム）
図４は、本実施の形態における上りリンクキャリア要素の無線フレームの概略構成例を示す図である。図４において、横軸は時間領域、縦軸は周波数領域である。上りリンクキャリア要素の無線フレームは、複数の上りリンクの物理リソースブロックペア（図４において、点線で囲まれている単位）から構成されている。この上りリンクの物理リソースブロックペアは、無線リソースの割り当てなどの単位であり、予め決められた幅の周波数帯（ＰＲＢ帯域幅）及び時間帯（２個のスロット＝１個のサブフレーム）からなる。
【００４１】
１個の上りリンクの物理リソースブロックペアは、基本的に時間領域で連続する２個の上りリンクの物理リソースブロック（ＰＲＢ帯域幅×スロット）から構成される。１個の上りリンクの物理リソースブロック（図４において、太線で囲まれている単位）は周波数領域において１２個のサブキャリアから構成され、時間領域において７個のＳＣ−ＦＤＭＡシンボルから構成される。
【００４２】
時間領域においては、７個のＳＣ−ＦＤＭＡシンボルから構成されるスロット、２個のスロットから構成されるサブフレーム、１０個のサブフレームから構成される無線フレームがある。周波数領域においては、上りリンクのキャリア要素の帯域幅に応じて複数の上りリンクの物理リソースブロックが配置される。尚、１個のサブキャリアと１個のＳＣ−ＦＤＭＡシンボルから構成されるユニットを上りリンクのリソースエレメントと称する。
【００４３】
上りリンクの各サブフレームには、少なくとも、上りリンク制御チャネルと、上りリンク共用チャネルと、上りリンク制御チャネル及び上りリンク共用チャネルの伝搬路推定に用いる上りリンクパイロットチャネルとが配置される。尚、上りリンク制御チャネルは、キャリア要素の帯域幅の両端の上りリンクの物理リソースブロックペアから配置され、上りリンク共用チャネルは残りの上りリンクの物理リソースブロックペアに配置され、移動局装置において上りリンク制御チャネルと上りリンク共用チャネルは一緒に送信されない。上りリンクパイロットチャネルについては説明の簡略化のため図４においては図示を省略するが、上りリンクパイロットチャネルは上りリンク共用チャネル及び上りリンク制御チャネルと時間多重され、ＡＣＫ／ＮＡＣＫを送信する上りリンク制御チャネルと時間多重する際は、上りリンク制御チャネルと同じように、ＣＡＺＡＣ系列と直交符号で符号拡散される。
【００４４】
上りリンク共用チャネルでは、データが送信される。上りリンク制御チャネルでは、移動局装置が受信した下りリンク共用チャネルの復号の成否を基地局装置に通知するＡＣＫ（ACKnowledgement；肯定応答）／ＮＡＣＫ（Negative-ACKnowledgement；否定応答）などの上りリンク制御情報（Uplink Control Information；ＵＣＩ）が送信される。ＡＣＫ／ＮＡＣＫを送信するための上りリンク制御チャネルの直交リソースは、制御チャネル要素と一意に対応しており、移動局装置は自装置宛ての下りリンクグラントを受信した制御チャネル要素に対応する上りリンク制御チャネルの直交リソースを用いて、下りリンク共用チャネルを受信してから予め決められた時間後の上りリンクのサブフレームでＡＣＫ／ＮＡＣＫを送信する。直交リソースは、上りリンクの無線リソース（２個の物理リソースブロック）と異なる巡回シフトとなるＣＡＺＡＣ系列と直交符号の組合せから構成される。また、直交リソースを構成する上りリンクの物理リソースブロックは、上りリンクのサブフレーム内の1番目のスロットと２番目のスロットに１個ずつであり、周波数領域において１番目のスロットと２番目のスロットで上りリンクの物理リソースブロックは対称の関係にある。
【００４５】
図５は、本実施の形態におけるチャネル間の関係の一例を示す図である。図５では、図２のような周波数帯域集約をしている無線通信システムにおける、下りリンク制御チャネルと下りリンク共用チャネルと上りリンク制御チャネルとの関係を示している。図５において、横軸は周波数領域である。図示するように、ＤＣＣ−２の下りリンク制御チャネルで、ＤＣＣ−０からＤＣＣ−５までの下りリンク共用チャネルに関する無線リソース割り当て情報を含む下りリンクグラントが送信され、ＤＣＣ−０からＤＣＣ−５で５個の下りリンク共用チャネルが送信される。
【００４６】
各下りリンク共用チャネルに対するＡＣＫ／ＮＡＣＫの組合せに基づいて、ＤＣＣ−２の下りリンク制御チャネルが対応する複数の上りリンク制御チャネルの直交リソースと、上りリンク制御チャネルで送信する情報（ビット系列）と、の組合せを決定するＡＣＫ／ＮＡＣＫ多重（ACK/NACK multiplexing）を行い、ＡＣＫ／ＮＡＣＫを送信する。ＡＣＫ／ＮＡＣＫ多重については図１０で詳述する。下りリンク制御チャネルに対応する上りリンク制御チャネルの直交リソースの詳細は図６で詳述する。
【００４７】
尚、下りリンク制御チャネルはＤＣＣ−２以外の下りリンクのキャリア要素で送信してもよいし、下りリンク共用チャネルが４個以下でもよいし、上りリンクと下りリンクのキャリア要素の数が異なってもよい。
【００４８】
図６は、本実施の形態における上りリンク制御チャネルと制御チャネル要素の対応の一例を示す図である。図６において、横軸は上りリンク制御チャネル、及び、制御チャネル要素を識別するための番号である。尚、正確には、図６において１つの上りリンク制御チャネルは１つの上りリンク制御チャネルの直交リソースを示す。図６では、同じ番号の付された上りリンク制御チャネルと制御チャネル要素とが一対一に対応付けられており、図５のように５個の下りリンク共用チャネルに関する無線リソース割り当て情報を含む下りリンクグラントが１３番と１４番と１５番と１６番の制御チャネル要素で送信されている例を示している。
【００４９】
移動局装置が、図示するように、１３番と１４番と１５番と１６番の制御チャネル要素で下りリンクグラントを受信した場合、下りリンクグラントを受信した制御チャネル要素の中で、最も番号の小さい１３番の制御チャネル要素に対応する１３番の上りリンク制御チャネルから番号が増える方向に複数の上りリンク制御チャネルが、基地局装置から割り当てられたと判断する。５個の上りリンク制御チャネルが割り当てられる場合、移動局装置は１３番と１４番と１５番と１６番と１７番の上りリンク制御チャネルが割り当てられたと判断する。移動局装置に割り当てることのできる上りリンク制御チャネルは、下りリンクグラントの送信に用いた制御チャネル要素が対応する上りリンク制御チャネルに限定されない。
【００５０】
また、移動局装置に割り当てられる上りリンク制御チャネルの数は、下りリンク制御チャネルが対応する下りリンク共用チャネルに対するＡＣＫ／ＮＡＣＫの組合せの総数を、ＡＣＫ／ＮＡＣＫ多重で求まるビット系列の情報量又はＡＣＫ／ＮＡＣＫ多重で求まるビット系列に対する変調方式の変調多値数で割り、切り上げた数である。
【００５１】
（移動局装置）
図７は、本実施の形態における移動局装置２の一構成例を示す機能ブロック図である。図７に示すように、移動局装置２は、複数の受信アンテナ５、受信処理部７、制御部９、上位層１１、送信処理部１５、及び、複数の送信アンテナ１７を具備する。また、上位層１１は、無線リソース制御部１１ａを備える。
【００５２】
上位層１１は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行う。上位層１１の無線リソース制御部１１ａは、自局装置の各種設定情報、通信状態、及び、バッファ状況の管理などを行っている。また、無線リソース制御部１１ａは、ＨＡＲＱ（Hybrid Automatic Repeat Request）処理を行なっており、ＨＡＲＱ処理の結果に応じて下りリンク共用チャネルのデータに対するＡＣＫ／ＮＡＣＫを生成し、生成したＡＣＫ／ＮＡＣＫ、及び、上りリンクの各チャネルで送信する情報を送信処理部１５に出力する。また、無線リソース制御部１１ａは、上りリンク共用チャネルに対する受信応答情報、基地局装置から下りリンク制御チャネルで通知された下りリンク制御情報（Downlink Control Information）などに基づき、受信処理部７、及び、送信処理部１５を制御するために制御信号を、制御部９を介して出力する。
【００５３】
制御部９は、上位層１１からの制御信号に基づき、受信処理部７、及び、送信処理部１５の制御に使用される制御信号の生成を行う。
【００５４】
受信処理部７は、制御部９からの制御信号に基づいて、基地局装置１が送信した下りリンクリファレンスシグナル、下りリンク制御チャネル、下りリンク共用チャネルなどの受信を、受信アンテナ５を介して行う。また、受信処理部７は、受信した各チャネルの情報を復調、及び、復号し、上位層１１に出力する。
【００５５】
送信処理部１５は、制御部９からの制御信号に基づき、上りリンクリファレンスシグナルを生成し、上位層１１から入力された情報を上りリンク共用チャネル、上りリンク制御チャネルとして符号化、及び、変調し、上りリンクリファレンスシグナル、及び、各チャネルを上りリンク無線フレームに多重し、複数の、例えば４つの送信アンテナ１７を介して、基地局装置１に送信する。
【００５６】
尚、受信アンテナ５と送信アンテナ１７とを異なる構成としたが、信号の入出力を切り替える作用のあるサイリスタなどを用いてアンテナを共有するようにしてもよい。
【００５７】
図８は、本実施の形態における移動局装置の受信処理部７の一構成例を示す機能ブロック図である。図８に示すように、受信処理部７は、受信部２１、多重分離部２３、第１伝搬路補償部２５、復調部３５ａ、復号化部３５ｂ、伝搬路推定部３１、第２伝搬路補償部３３、第１復調部２７ａ、第１復号化部２７ｂを具備する。受信処理部７において、第１復調部２７ａ、第１復号化部２７ｂにより下りリンク制御チャネル受信処理部２７を構成し、第２復調部３５ａ、第２復号化部３５ｂにより下りリンク共用チャネル受信処理部３５を構成する。
【００５８】
受信部２１は、制御部９からの制御信号に基づいて、受信アンテナ５を介して受信した信号を、中間周波数に変換し（ダウンコンバート）、不要な周波数成分を除去し、信号レベルが適切に維持されるように増幅レベルを制御し、受信した信号の同相成分及び直交成分に基づいて、直交復調し、直交復調されたアナログ信号をディジタル信号に変換し、ディジタル信号からガードインターバルに相当する部分を除去し、ガードインターバルを除去した信号を高速フーリエ変換（Fast Fourier Transform；ＦＦＴ）し、ＯＦＤＭ方式の復調を行う。
【００５９】
多重分離部２３は、制御部９からの制御信号に基づいて、受信部２１がＯＦＤＭ方式により復調した受信信号から下りリンクの各キャリア要素の下りリンク制御チャネル、下りリンク共用チャネル、下りリンクリファレンスシグナルの受信信号をリソースエレメントから抽出し、下りリンク制御チャネルの受信信号を第１伝搬路補償部２５へ、下りリンク共用チャネルの受信信号を第２伝搬路補償部３３へ、下りリンクリファレンスシグナルの受信信号を伝搬路推定部３１へそれぞれ出力する。
【００６０】
伝搬路推定部３１は、制御部９からの制御信号に基づいて、多重分離部２３から入力された下りリンクリファレンスシグナルから、下りリンク共用チャネルの伝搬路の推定値を算出し、第１伝搬路補償部２５、及び、第２伝搬路補償部３３へ伝搬路の推定値を出力する。
【００６１】
第１伝搬路補償部２５は、制御部９からの制御信号に基づいて、多重分離部２３から入力された下りリンク制御チャネルの受信信号を、伝搬路推定部３１から入力された伝搬路の推定値を用いて伝搬路の補償を行い、第１復調部２７ａへ出力する。
【００６２】
第１復調部２７ａは、制御部９からの制御信号に基づいて、第１伝搬路補償部２５から入力された下りリンク制御チャネルの受信信号を、ＱＰＳＫ（Quadrature Phase Shift Keying；４相位相偏移変調）復調方式で復調し、復調した符号化ビットを第１復号化部２７ｂへ出力する。
【００６３】
第１復号化部２７ｂは、制御部９からの制御信号に基づいて、第１復調部２７ａから入力された下りリンク制御チャネルの符号化ビットを並び替えて制御チャネル要素を復号し、複数の制御チャネル要素の組合せに対してビタビ復号などの誤り訂正復号を行い、復号した下りリンク制御情報を上位層１１へ出力する。また、第１復号化部２７ｂは、下りリンク制御情報の復号に成功した制御チャネル要素の番号を上位層１１へ出力する。上位層１１に出力した制御チャネル要素の番号は、上位層１１、及び、制御部９を介して、送信処理部１５に通知される。
【００６４】
第２伝搬路補償部３３は、制御部９からの制御信号に基づいて、多重分離部２３から入力された下りリンク共用チャネルの受信信号を、伝搬路推定部３１から入力された伝搬路の推定値を用いて伝搬路の補償を行い、第２復調部３５ａへ出力する。
【００６５】
第２復調部３５ａは、制御部９からの制御信号に基づいて、第２伝搬路補償部３３から入力された下りリンク共用チャネルの受信信号を、ＱＰＳＫ、１６ＱＡＭ（16 Quadrature Amplitude Modulation）、６４ＱＡＭ（64 Quadrature Amplitude Modulation）などの復調方式で復調し、復調した符号化ビットを第２復号化部３５ｂへ出力する。
【００６６】
第２復号化部３５ｂは、制御部９からの制御信号に基づいて、第２復調部３５ａから入力された下りリンク共用チャネルの符号化ビットをターボ復号などの誤り訂正復号を行い、復号したデータを上位層１１へ出力する。
【００６７】
図９は、本実施の形態における移動局装置の送信処理部１５の一構成例を示す機能ブロック図である。図９に示すように、送信処理部１５は、ＡＣＫ／ＮＡＣＫ多重部４１ａ、ＡＣＫ／ＮＡＣＫ多重記憶部４１ｄ、ＱＰＳＫ変調部４１ｂ、拡散部４１ｃ、符号化部４３ａ、変調部４３ｂ、ＤＦＴ（Discrete Fourier Transform；離散フーリエ変換）部４３ｃ、多重部４５、送信部４７、上りリンクリファレンスシグナル生成部５１を具備する。送信処理部１５において、ＡＣＫ／ＮＡＣＫ多重部４１ａ、ＡＣＫ／ＮＡＣＫ多重記憶部４１ｄ、ＱＰＳＫ変調部４１ｂ、拡散部４１ｃにより上りリンク制御チャネル送信処理部４１を構成し、符号化部４３ａ、変調部４３ｂ、ＤＦＴ部４３ｃにより上りリンク共用チャネル送信処理部４３を構成する。
【００６８】
ＡＣＫ／ＮＡＣＫ多重記憶部４１ｄは、ＡＣＫ／ＮＡＣＫ多重部４１ａに入力される各下りリンクのキャリア要素で送信される下りリンク共用チャネルに対するＡＣＫ／ＮＡＣＫと対応する上りリンク制御チャネルの直交リソースと、上りリンク制御チャネルで送信する情報（ビット系列）を表の形で記憶している。また、ＡＣＫ／ＮＡＣＫ多重記憶部４１ｄが記憶している表に用いられる上りリンク制御チャネルの直交リソースの数は、ＡＣＫ／ＮＡＣＫ多重部４１ａに入力されたＡＣＫ／ＮＡＣＫの数と同じ数のＡＣＫ／ＮＡＣＫがとりうる組合せの総数を、ＱＰＳＫ変調の変調多値数である４値で割って、小数点以下を切り上げた数である。上記「表の形で記憶している」との表現は、必ずしもテーブル形式で記憶しているという狭い意味に解釈されるべきではなく、直交リソースと、上りリンク制御チャネルで送信する情報（ビット系列）とから対応表が生成できる状態になっていれば良い。
【００６９】
図１０は、本実施の形態におけるＡＣＫ／ＮＡＣＫと上りリンク制御チャネルの対応表の一例を示す図である。図１０（ａ）は、ＡＣＫ／ＮＡＣＫ多重部に２個のＡＣＫ／ＮＡＣＫが入力されたときに参照される表で、図１０（ｂ）は、ＡＣＫ／ＮＡＣＫ多重部に３個のＡＣＫ／ＮＡＣＫが入力されたときに参照される表で、図１０（ｃ）は、ＡＣＫ／ＮＡＣＫ多重部に４個のＡＣＫ／ＮＡＣＫが入力されたときに参照される表で、図１０（ｄ）は、ＡＣＫ／ＮＡＣＫ多重部に５個のＡＣＫ／ＮＡＣＫが入力されたときに参照される表である。
【００７０】
図１０において、表のキャリア要素ｘ（ｘ＝１，２，３，４，５）は、ＡＣＫ／ＮＡＣＫ多重部に入力された下りリンク共用チャネルが配置される下りリンクのキャリア要素を示しているを示している。例えば、図１０（ａ）のキャリア要素１は、ＡＣＫ／ＮＡＣＫ多重部に入力されたＡＣＫ／ＮＡＣＫが対応するキャリア要素の中で最も周波数が低いキャリア要素を示し、キャリア要素２は、ＡＣＫ／ＮＡＣＫ多重部に入力されたＡＣＫ／ＮＡＣＫが対応するキャリア要素の中で２番目に周波数が低いキャリア要素を示している。また、表のキャリア要素ｘの列は、キャリア要素ｘで受信した下りリンク共用チャネルに対するＡＣＫ／ＮＡＣＫを示しており、直交リソースの列は、ＡＣＫ／ＮＡＣＫの送信に用いる上りリンク制御チャネルを識別する番号を示しており、ビットの列は、上りリンク制御チャネルで送信するビット系列を示している。例えば、図１０（ｂ）において、キャリア要素１とキャリア要素２とキャリア要素３それぞれがＮＡＣＫの場合、直交リソースを識別する番号として１、ビット系列として１１が対応している。
【００７１】
ＡＣＫ／ＮＡＣＫ多重部４１ａは、制御部９からの制御信号に基づいて、上位層１１から入力されたＡＣＫ／ＮＡＣＫの数に対応するＡＣＫ／ＮＡＣＫ多重記憶部４１ｄの表を参照し、上位層１１から入力されたＡＣＫ／ＮＡＣＫの組合せに対応する上りリンク制御チャネルの直交リソースを識別する番号と、上りリンク制御チャネルで送信する情報（ビット系列）を決定する。ＡＣＫ／ＮＡＣＫ多重部４１ａは、決定した直交リソースを識別する番号を拡散部４１ｃと多重部４５へ制御信号を出力する。また、ＡＣＫ／ＮＡＣＫ多重部４１ａは決定したビット系列をＱＰＳＫ変調部４１ｂへ出力する。
【００７２】
ＱＰＳＫ変調部４１ｂは、制御部９からの制御信号に基づいて、ＡＣＫ／ＮＡＣＫ多重部４１ａから入力されたビット系列を、ＱＰＳＫ変調方式で変調して、変調シンボルを生成し、拡散部４１ｃへ出力する。尚、ＡＣＫ／ＮＡＣＫ多重部４１ａから入力されるビットの系列長を変更し、ＢＰＳＫ（Binary Phase Shift Keying）、８ＰＳＫ（8 Phase Shift Keying）、１６ＱＡＭなどの変調方式を用いてもよい。
【００７３】
拡散部４１ｃは、制御部９から入力される下りリンク制御チャネルの送信に用いられた制御チャネル要素の番号の中で最も小さい番号と、ＡＣＫ／ＮＡＣＫ多重部４１ａから入力される上りリンク制御チャネルの直交リソースを識別する番号とを足し合わせ、足し合わせた番号を基に、ＣＡＺＡＣ系列と直交符号を選択し、ＱＰＳＫ変調部４１ｂから入力されたＡＣＫ／ＮＡＣＫ変調シンボルを選択したＣＡＺＡＣ系列と直交符号で拡散し、拡散した変調シンボルを多重部４５へ出力する。
【００７４】
図６と図１０とを参照して、拡散部４１ｃにおける処理の一例について説明する。移動局装置が、図６のように１３番と１４番と１５番と１６番で下りリンクグラントを受信した場合、拡散部４１ｃは、下りリンク制御チャネルの送信に用いられた制御チャネル要素の番号の中で最も小さい番号として、制御部９から１３番を入力される。また、拡散部４１ｃは、図６の下りリンクグラントが対応する下りリンク共用チャネルのＡＣＫ／ＮＡＣＫの組合せに応じてＡＣＫ／ＮＡＣＫ多重部４１ａがＡＣＫ／ＮＡＣＫ多重記憶部４１ｄの表を参照し、選択した直交リソースを識別する番号が入力される。例えば、図１０（ｄ）において、５個の下りリンク共用チャネルに対するＡＣＫ／ＮＡＣＫの組み合わせが、（ＡＣＫ，ＡＣＫ，ＮＡＣＫ，ＡＣＫ，ＡＣＫ）の場合は、直交リソースを識別する番号として１番が、拡散部４１ｃに入力される。次に拡散部４１ｃは、１３番と１番を足し合わせた１４番に対応する上りリンク制御チャネルの直交リソースに対応するＣＡＺＡＣ系列と直交符号でＡＣＫ／ＮＡＣＫ変調シンボルを拡散する。
【００７５】
符号化部４３ａは、制御部９からの制御信号に基づいて、上位層１１から入力された上りリンクの各キャリア要素のデータをターボ符号で誤り訂正符号化し、符号化ビットを変調部４３ｂへ出力する。
【００７６】
変調部４３ｂは、制御部９からの制御信号に基づいて、符号化部４３ａから入力された符号化ビットをＱＰＳＫ、１６ＱＡＭ、６４ＱＡＭなどの変調方式で変調し、変調シンボルをＤＦＴ部４３ｃへ出力する。
【００７７】
ＤＦＴ部４３ｃは、制御部９からの制御信号に基づいて、変調部４３ｂから入力された変調シンボルをインターリーブし、並列に並び替えてから離散フーリエ変換をし、多重部４５へ出力する。
【００７８】
上りリンクリファレンスシグナル生成部５１は、制御部９から入力される制御信号に基づいて、移動局装置を識別するためのＩＤや、基地局装置を識別するためのＩＤなどを基に予め定められた規則で求まる、移動局装置と基地局装置で既知のＣＡＺＡＣ系列をキャリア要素毎に生成し、ＣＡＺＡＣ系列を直交符号で時間領域に拡散し、多重部４５へ出力する。上りリンクリファレンスシグナルに用いられるＣＡＺＡＣ系列と直交符号は、制御部９から入力される下りリンク制御チャネルの送信に用いられた制御チャネル要素の番号の中で最も小さい番号と、ＡＣＫ／ＮＡＣＫ多重部から入力される上りリンク制御チャネルの直交リソースを識別する番号とを足し合わせ、足し合わせた番号を基に決定する。尚、上りリンク共用チャネルと時間多重される上りリンクリファレンスシグナルは、時間領域における直交符号の拡散は行なわない。
【００７９】
多重部４５は、制御部９から入力される下りリンク制御チャネルの送信に用いられた制御チャネル要素の番号の中で最も小さい番号と、ＡＣＫ／ＮＡＣＫ多重部４１ａから入力される上りリンク制御チャネルの直交リソースを識別する番号とを足し合わせ、足し合わせた番号を基に、２個の上りリンクの物理リソースブロックを選択し、拡散部４１ｃから入力された拡散した変調シンボルと上りリンクリファレンスシグナル生成部５１から入力された系列を選択した上りリンクの物理リソースブロックのリソースエレメントに配置する。また、多重部４５は、制御部９から入力される制御信号に基づいて、ＤＦＴ部４３ｃから入力された離散フーリエ変換された信号と上りリンクリファレンスシグナルを上りリンクのリソースエレメントに配置し、送信部４７へ出力する。
【００８０】
送信部４７は、制御部９からの制御信号に基づいて、多重部４５から入力された信号を逆高速フーリエ変換（Inverse Fast Fourier Transform；ＩＦＦＴ）して、ＳＣ−ＦＤＭＡ方式の変調を行い、ＳＣ−ＦＤＭＡ変調されたＳＣ−ＦＤＭＡシンボルにガードインターバル（Guard Interval；ＧＩ）を付加し、ベースバンドのディジタル信号を生成し、ベースバンドのディジタル信号をアナログ信号に変換し、アナログ信号から中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、各送信アンテナに出力して送信する。
【００８１】
（基地局装置）
図１１は、本実施の形態における基地局装置１の一構成例を示す機能ブロック図である。図１１に示すように、基地局装置１は、複数の受信アンテナ６１、受信処理部６３、制御部６７、上位層６５、送信処理部７１、及び、複数の送信アンテナ７２、を具備する。また、上位層６５は、無線リソース制御部６５ａを備える。
【００８２】
上位層６５は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行う。上位層の無線リソース制御部６５ａは、各移動局装置の各種設定情報、通信状態、及び、バッファ状況の管理などを行っている。また、無線リソース制御部６５ａは、ＨＡＲＱ（Hybrid Automatic Repeat Request）処理を行なっており、ＨＡＲＱ処理の結果に応じて上りリンク共用チャネルのデータに対する受信応答情報を生成し、生成した受信応答情報、及び、下りリンクの各チャネルで送信する情報を送信処理部に出力する。
【００８３】
また、無線リソース制御部６５ａは、移動局装置２が送信した下りリンク共用チャネルに対するＡＣＫ／ＮＡＣＫや、移動局装置のバッファの状況などに基づき、受信処理部６３、及び、送信処理部７１を制御するために制御信号を、制御部６７を介して出力する。
【００８４】
制御部６７は、上位層６５からの制御信号に基づき、受信処理部６３、及び、送信処理部７１の制御に使用される制御信号の生成を行う。
【００８５】
送信処理部７１は、制御部６７からの制御信号に基づき、下りリンクリファレンスシグナルを生成し、上位層６５から入力された情報を下りリンク共用チャネル、及び、下りリンク制御チャネルとして符号化、及び、変調し、下りリンクリファレンスシグナル、及び、各チャネルを下りリンク無線フレームに多重し、複数の、例えば４つの送信アンテナを介して、移動局装置２に送信する。
【００８６】
受信処理部６３は、制御部６５からの入力に基づき、移動局装置２が送信した上りリンクリファレンスシグナル、上りリンク制御チャネル、上りリンク共用チャネルの受信を、受信アンテナを介して行う。また、受信処理部は、受信した各チャネルの情報を復調、及び、復号し、上位層に出力する。尚、受信アンテナと送信アンテナとを異なる構成としたが、信号の入出力を切り替える作用のあるサイリスタなどを用いてアンテナを共有するようにしてもよい。
【００８７】
図１２は、本実施の形態における基地局装置の送信処理部７１の一構成例を示す機能ブロック図である。図示するように、送信処理部７１は、第１符号化部７３ａ、第１変調部７３ｂ、多重部７７、送信部７９、第２符号化部７５ａ、第２変調部７５ｂ、下りリンクリファレンスシグナル生成部８１を具備する。送信処理部７１において、第１符号化部７３ａと第１変調部７３ｂにより下りリンク制御チャネル送信処理部７３を構成し、第２符号化部７５ａ、第２変調部７５ｂにより下りリンク共用チャネル送信処理部７５を構成する。
【００８８】
第１符号化部７３ａは、制御部６７からの制御信号に基づいて、上位層６５から入力された下りリンク制御情報を畳み込み符号で誤り訂正符号化し、符号化ビットを並び替え、第１変調部７３ｂへ出力する。
【００８９】
第１変調部７３ｂは、制御部６７からの制御信号に基づいて、第１符号化部７３ａから入力された符号化ビットをＱＰＳＫ変調方式で変調し、変調シンボルを多重部７７へ出力する。
【００９０】
第２符号化部７５ａは、制御部６７からの制御信号に基づいて、上位層６５から入力された下りリンクの各キャリア要素のデータをターボ符号で誤り訂正符号化し、符号化ビットを第２変調部７５ｂへ出力する。
【００９１】
第２変調部７５ｂは、制御部６７からの制御信号に基づいて、第２符号化部７５ａから入力された符号化ビットをＱＰＳＫ、１６ＱＡＭ、６４ＱＡＭなどの変調方式で変調し、変調シンボルを多重部７７へ出力する。
【００９２】
下りリンクリファレンスシグナル生成部８１は、制御部６７から入力される制御信号に基づいて、基地局装置を識別するためのＩＤなどを基に予め定められた規則で求まる、移動局装置が既知の系列を生成し、多重部７７へ出力する。
【００９３】
多重部７７は、制御部６７からの制御信号に基づいて、第１変調部７３ａから入力された下りリンク制御チャネルの変調シンボルと、第２変調部７５ａから入力された下りリンク共用チャネルの変調シンボルと、下りリンクリファレンスシグナル生成部８１から入力された系列を下りリンクのリソースエレメントに配置し、送信部７９に出力する。
【００９４】
送信部７９は、制御部６７からの制御信号に基づいて、多重部７７から入力された変調シンボルを逆高速フーリエ変換して、ＯＦＤＭ方式の変調を行い、ＯＦＤＭ変調されたＯＦＤＭシンボルにガードインターバル（Guard Interval；ＧＩ）を付加し、ベースバンドのディジタル信号を生成し、ベースバンドのディジタル信号をアナログ信号に変換し、アナログ信号から中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、送信アンテナ７２に出力して送信する。
【００９５】
図１３は、本実施の形態における基地局装置の受信処理部６３の一構成例を示す機能ブロック図である。図１３に示すように、受信処理部６３は、受信部９１、多重分離部９５、逆拡散部９７ａ、ＡＣＫ／ＮＡＣＫ検出部９７ｂ、第１伝搬路推定・補償部９７ｃ、ＱＰＳＫ復調部９７ｄ、ＡＣＫ／ＮＡＣＫ多重分離部９７ｅ、ＡＣＫ／ＮＡＣＫ多重記憶部９７ｆ、第２伝搬路推定・補償部１０１、ＩＤＦＴ（Inverse Discrete Fourier Transform；逆離散フーリエ変換）部１０３ａ、復調部１０３ｂ、復号化部１０３ｃ、を具備する。受信処理部６３において、逆拡散部９７ａ、ＡＣＫ／ＮＡＣＫ検出部９７ｂ、第１伝搬路推定・補償部９７ｃ、ＱＰＳＫ復調部９７ｄ、ＡＣＫ／ＮＡＣＫ多重分離部９７ｅ、ＡＣＫ／ＮＡＣＫ多重記憶部９７ｆにより上りリンク制御チャネル受信処理部９７を構成し、ＩＤＦＴ部１０３ａ、復調部１０３ｂ、復号化部１０３ｃにより上りリンク共用チャネル受信処理部１０３を構成する。
【００９６】
受信部９１は、制御部６７からの制御信号に基づいて、受信アンテナ６１を介して受信した下りリンクの各キャリア要素の信号を、中間周波数に変換し（ダウンコンバート）、不要な周波数成分を除去し、信号レベルが適切に維持されるように増幅レベルを制御し、受信した信号の同相成分及び直交成分に基づいて、直交復調し、直交復調されたアナログ信号をディジタル信号に変換し、ディジタル信号からガードインターバルに相当する部分を除去し、ガードインターバルを除去した信号を逆高速フーリエ変換し、ＳＣ−ＦＤＭＡ方式の復調を行う。
【００９７】
多重分離部９５は、制御部６７からの制御信号に基づいて、受信処理部６３がＳＣ−ＦＤＭＡ方式により復調した上りリンクの各キャリア要素の受信信号のリソースエレメントから、移動局装置が上りリンク制御チャネルの送信に用いる可能性のある直交リソースのリソースエレメント全てを抽出し、逆拡散部９７ａへ出力する。移動局装置が上りリンク制御チャネルの送信に用いる可能性のある直交リソースは、基地局装置が移動局装置に割り当てた下りリンク共用チャネルの数と、下りリンク共用チャネルに対応する下りリンク制御チャネルの送信に用いた制御チャネル要素とから求まる。また、多重分離部９５は、制御部６７からの制御信号に基づいて、受信部９１がＳＣ−ＦＤＭＡ方式により復調した上りリンクの各キャリア要素の受信信号のリソースエレメントから、上りリンク共用チャネルの受信信号を第２伝搬路推定・補償部１０１へ出力する。
【００９８】
逆拡散部９７ａは、制御部６７からの制御信号に基づいて、多重分離部９５から入力されたリソースエレメントを、移動局装置が上りリンク制御チャネルと上りリンクリファレンスシグナルの送信に用いる可能性のある直交リソースのＣＡＺＡＣ系列と直交符号で、上りリンク制御チャネルと上りリンクリファレンスシグナルを逆拡散し、逆拡散した信号をＡＣＫ／ＮＡＣＫ検出部９７ｂへ出力する。
【００９９】
ＡＣＫ／ＮＡＣＫ検出部９７ｂは、制御部６７からの制御信号に基づいて、逆拡散部９７ａから入力された信号の電力を測定し、電力がある閾値を超える信号のみを検出する。次に、検出した信号の中から、同じ移動局装置が送信する可能性のある信号の中で最も電力の大きい信号を第１伝搬路補償部９７ｃへ出力し、最も電力の大きい信号が配置されていた直交リソースを識別する番号をＡＣＫ／ＮＡＣＫ多重分離部９７ｅへ出力する。この処理によって、移動局装置が上りリンク制御チャネルの送信に用いる可能性のある直交リソースの中から、実際に移動局装置が上りリンク制御チャネルを送信した直交リソースが抽出される。
【０１００】
第１伝搬路推定・補償部９７ｃは、制御部６７からの制御信号に基づいて、多重分離部９５から入力された逆拡散した上りリンクリファレンスシグナルから、上りリンク制御チャネルの伝搬路の推定値を算出し、伝搬路の推定値を用いて、ＡＣＫ／ＮＡＣＫ検出部９７ｂから入力された上りリンク制御チャネルの受信信号の伝搬路の補償を行いＱＰＳＫ復調部９７ｄに出力する。
【０１０１】
ＱＰＳＫ復調部９７ｄは、第１伝搬路推定・補償部９７ｃから入力された上りリンク制御チャネルの変調シンボルに対して、ＱＰＳＫ復調方式で復調し、復調したビット系列を、ＡＣＫ／ＮＡＣＫ多重分離部９７ｅへ出力する。
【０１０２】
ＡＣＫ／ＮＡＣＫ多重記憶部９７ｆは、移動局装置のＡＣＫ／ＮＡＣＫ多重記憶部と同じ、各キャリア要素に対応するＡＣＫ／ＮＡＣＫと直交リソースとビット系列の対応を示す表を記憶している。
【０１０３】
ＡＣＫ／ＮＡＣＫ多重分離部９７ｅは、制御部６７からの制御信号で通知される、下りリンク共用チャネルの数に応じて、ＡＣＫ／ＮＡＣＫ多重記憶部９７ｆで参照する表を決定し、表の中からＱＰＳＫ復調部９７ｄから入力されたビット系列と、ＡＣＫ／ＮＡＣＫ検出部９７ｂから入力された直交リソースを識別する番号とに対応するＡＣＫ／ＮＡＣＫの組合せを選択し、選択した下りリンクの各キャリア要素のＡＣＫ／ＮＡＣＫを生成し、上位層６５に出力する。例えば、制御部６７からの制御信号で下りリンク共用チャネルの数が３と通知された場合は、図１０（ｂ）の表を参照し、直交リソースの番号が１、ビット系列が１１の場合は、キャリア要素１とキャリア要素２とキャリア要素３で送信した下りリンク共用チャネルに対するＡＣＫ／ＮＡＣＫとしてＮＡＣＫを生成し、上位層６５へ出力する。
【０１０４】
第２伝搬路推定・補償部１０１は、多重分離部９５から入力された上りリンク共用チャネルの受信信号と時間多重されている上りリンクリファレンスシグナルから、上りリンク共用チャネルの伝搬路の推定値を算出し、推定値を用いて上りリンク共用チャネルの受信信号の伝搬路の補償を行い、ＩＤＦＴ部１０３ａへ出力する。
【０１０５】
ＩＤＦＴ部１０３ａは、制御部６７からの制御信号に基づいて、第２伝搬路推定・補償部１０１から入力された上りリンク共用チャネルの受信信号を、逆離散フーリエ変換し、変調シンボルを復調し、変調シンボルを並び替えて、変調シンボルを復調部１０３ｂへ出力する。
【０１０６】
復調部１０３ｂは、制御部６７からの制御信号に基づいて、ＩＤＦＴ部１０３ａから入力された変調シンボルをＱＰＳＫ、１６ＱＡＭ、６４ＱＡＭなどの復調方式で復調し、符号化ビットを復号化部１０３ｃへ出力する。
【０１０７】
復号化部１０３ｃは、制御部６７からの制御信号に基づいて、復調部１０３ｂから入力された符号化ビットをターボ復号などの誤り訂正復号を行い、復号したデータを上位層６５へ出力する。
【０１０８】
（移動局装置と基地局装置のフロー）
図１４は、本実施の形態における基地局装置のフローの一例を説明する図である。まず、処理が開始されると、ステップＳ１０において、基地局装置は送信処理部７１を介して、下りリンク制御チャネルをいずれか１つの下りリンクのキャリア要素で移動局装置に送信し、下りリンクの複数のキャリア要素で複数の下りリンク共用チャネルを移動局装置に送信する。次に、ステップＳ１１に進む。
【０１０９】
ステップＳ１１において、基地局装置は受信部９１を介して上りリンク制御チャネルを受信し、基地局装置のＡＣＫ／ＮＡＣＫ検出部９７ｂは、一の移動局装置が、ステップＳ１０で基地局装置が送信した下りリンク共用チャネルに対するＡＣＫ／ＮＡＣＫの送信のために選択する可能性のある全ての上りリンク制御チャネルの直交リソースの電力を測定し、移動局装置が上りリンク制御チャネルの送信に用いた直交リソースを検出し、検出した上りリンク制御チャネルをＱＰＳＫ復調部９７ｄへ出力し、検出した直交リソースの番号をＡＣＫ／ＮＡＣＫ多重分離部９７ｅへ出力する。次に、ステップＳ１２に進む。
【０１１０】
ステップＳ１２において、基地局装置のＱＰＳＫ復調部９７ｄは、ステップＳ１１で検出した上りリンク制御チャネルをＱＰＳＫ復調し、復調したビット系列をＡＣＫ／ＮＡＣＫ多重分離部９７ｅに出力する。次に、ステップＳ１３に進む。
【０１１１】
ステップＳ１３において、基地局装置のＡＣＫ／ＮＡＣＫ多重分離部９７ｅは、ステップＳ１０で移動局装置に送信した下りリンク共用チャネルの数と、ステップＳ１１でＡＣＫ／ＮＡＣＫ検出部９７ｂが検出した上りリンク制御チャネルの直交リソースの番号と、ステップＳ１２でＱＰＳＫ復調部９７ｄがＱＰＳＫ復調したビット系列の組み合わせとに基づいて、ＡＣＫ／ＮＡＣＫ多重分離部９７ｆの表を参照し、各下りリンク共用チャネルに対するＡＣＫ／ＮＡＣＫの組合せを選択し、ＡＣＫ／ＮＡＣＫを生成して上位層へ出力する。
【０１１２】
ステップＳ１３の後、基地局装置は、ＡＣＫ／ＮＡＣＫの受信に関する処理を終了する。
【０１１３】
図１５は、本実施の形態における移動局装置のフローの一例を説明する図である。まず、処理が開始されると、ステップＳ２０において、移動局装置は、受信処理部７を介して下りリンク制御チャネルと下りリンク共用チャネルを受信し、復調、復号する。次にステップＳ２１に進む。
【０１１４】
ステップＳ２１において、移動局装置の上位層１１は、下りリンク共用チャネルの復号結果に応じて、下りリンク共用チャネル毎にＡＣＫ／ＮＡＣＫを生成し、送信処理部のＡＣＫ／ＮＡＣＫ多重部４１ａに出力する。次に、ステップＳ２２に進む。
【０１１５】
ステップＳ２２において、移動局装置のＡＣＫ／ＮＡＣＫ多重部４１ａは、ステップＳ２１で上位層１１が生成した各下りリンク共用チャネルに対するＡＣＫ／ＮＡＣＫの数に対応するＡＣＫ／ＮＡＣＫ多重記憶部４１ｄの表を参照し、ＡＣＫ／ＮＡＣＫの組合せに基づいて、ＡＣＫ／ＮＡＣＫの送信に用いる上りリンク制御チャネルの直交リソースと、上りリンク制御チャネルで送信するビット系列を選択する。次に、ステップＳ２３に進む。
【０１１６】
ステップＳ２３において、移動局装置のＱＰＳＫ変調部４１ｂは、ステップＳ２２で選択したビット系列をＱＰＳＫ変調し、拡散部４１ｃ、及び、多重部４５で、ステップＳ２２で選択した上りリンク制御チャネルの直交リソースにＱＰＳＫ変調した変調信号を配置し、送信部４７を介して送信する。
【０１１７】
ステップＳ２３の後、移動局装置は、ＡＣＫ／ＮＡＣＫの送信に関する処理を終了する。
【０１１８】
上記の第１の実施の形態のように、移動局装置が、基地局装置に割り当てられた複数の下りリンク共用チャネルのＡＣＫ／ＮＡＣＫの組合せの総数を基に、自局装置に割り当てられた上りリンク制御チャネルの直交リソースの数を決定し、下りリンク共用チャネルのＡＣＫ／ＮＡＣＫの組合せを基に、割り当てられた上りリンク制御チャネルの直交リソースと、上りリンク制御チャネルで送信するビット系列を選択し、基地局装置は、移動局装置が上りリンク制御チャネルを送信するのに用いた直交リソースと、上りリンク制御チャネルで受信したビット系列の組合せから、下りリンク共用チャネルに対するＡＣＫ／ＮＡＣＫを判断することで、複数のＡＣＫ／ＮＡＣＫを送信するのに充分な上りリンク制御チャネルを移動局装置に割り当て、複数のＡＣＫ／ＮＡＣＫを１つの上りリンク制御チャネルで送受信することができる。これにより、基地局装置と移動局装置は適した再送制御を実現することができる。また、第１の実施の形態では、従来と同じ上りリンク制御チャネルの直交リソースを用いているため、従来の上りリンク制御チャネルと符号多重することができ、周波数帯域集約を用いない従来のシステムと高い互換性を確保することができる。
【０１１９】
（第２の実施の形態）
第１の実施の形態では、同時に割り当てられた下りリンク共用チャネルのＡＣＫ／ＮＡＣＫの組合せの総数は、同時に割り当てられた下りリンク共用チャネルの数で“２”を累乗するのに対し、上りリンク制御チャネルの直交リソースと上りリンク制御チャネルで送信するビット系列の組合せの総数は、上りリンク制御チャネルの直交リソースの数と“４”を掛けたものであるため、同時に割り当てられた下りリンク共用チャネルの数が増えると、必要な上りリンク制御チャネルの直交リソースの数が増大する。例えば、同時に５個の下りリンク共用チャネルを割り当てられた場合、ＡＣＫ／ＮＡＣＫの組合せの総数３２をＱＰＳＫの変調多値数４で割ると、ＡＣＫ／ＮＡＣＫの送信に必要な上りリンク制御チャネルの直交リソースは８個になり、１つの移動局装置に多くの上りリンク制御チャネルの直交リソースを割り当てることになる。第２の実施の形態では、基地局装置が同時に通信できる移動局装置の数を増やすために、基地局装置が通信している移動局装置の数が多い場合、移動局装置に割り当てる上りリンク制御チャネルの直交リソースの数を制限し、基地局装置が通信している移動局装置の数が少ない場合、移動局装置に割り当てる上りリンク制御チャネルの直交リソースの数を制限しない。
【０１２０】
第２の実施の形態における無線通信システムは、基地局装置と移動局装置とを有し、第１の実施の形態の変形例として、基地局装置は、基地局装置が通信している移動局装置の数に応じて、移動局装置に割り当てる上りリンク制御チャネルの直交リソースの数を制限するかしないかを決定し、決定した結果を移動局装置に通知する。直交リソースの数が制限される場合は、予め定められた上限値、例えば５個などに制限される。
【０１２１】
第２の実施の形態における基地局装置、基地局装置の受信処理部、移動局装置、移動局装置の送信処理部の構成は第１の実施の形態と同じであるため図示を省略し、図９の第１の実施の形態の移動局装置の送信処理部、図１３の基地局装置の受信処理部の構成を示す概略ブロック図を援用して説明する。第２の実施の形態において、基地局装置と移動局装置との動作は、以下の動作が異なる点を除いて同じである。
【０１２２】
移動局装置のＡＣＫ／ＮＡＣＫ多重記憶部４１ｄと基地局装置のＡＣＫ／ＮＡＣＫ多重記憶部９７ｆは、基地局装置から割り当てられる上りリンク制御チャネルの直交リソースが制限されている場合と、制限されていない場合で異なる表を記憶している。図１６は、第２の実施の形態におけるＡＣＫ／ＮＡＣＫと上りリンク制御チャネルの対応の一例を示す図である。図１６では、下りリンク共用チャネルに対して３つ以上のＮＡＣＫがある場合には、同じ上りリンク制御チャネルの直交リソースとビット系列の組合せを用いるようにすることで、必要な直交リソースの数を５個に減らしている。基地局装置は、ＮＡＣＫが３つ以上ある場合は、全ての下りリンク共用チャネルがＮＡＣＫだとして、全ての下りリンク共用チャネルを再送するが、ＮＡＣＫになる確率はＡＣＫになる確率と比較すると低く、ＮＡＣＫが３つ以上同時に起きることはほぼないため、ＮＡＣＫが３つ以上の場合をまとめても無線通信システムへの影響は少ない。上りリンク制御チャネルの直交リソースの数が制限されていない場合は、図１０に示すような第１の実施の形態と同様の表である。
【０１２３】
移動局装置のＡＣＫ／ＮＡＣＫ多重部４１ｄは、入力されたＡＣＫ／ＮＡＣＫの組合せの総数から求まる上りリンク制御チャネルの直交リソースの数が、基地局装置が制限する上限値を越える場合は、直交リソースの数が制限されていない場合とは異なる表を参照し、上位層から入力されたＡＣＫ／ＮＡＣＫの組合せから、上りリンク制御チャネルの直交リソースと、上りリンク制御チャネルで送信するビット系列を選択する。
【０１２４】
基地局装置のＡＣＫ／ＮＡＣＫ多重分離部９７ｅは、移動局装置に割り当てる上りリンク制御チャネルの直交リソースが制限されている場合と、制限されていない場合でＡＣＫ／ＮＡＣＫ多重記憶部の異なる表を参照し、ＡＣＫ／ＮＡＣＫ検出部９７ｂから入力された上りリンク制御チャネルの直交リソースの番号と、ＱＰＳＫ復調部９７ｄから入力されたビット系列の組合せから、下りリンク共用チャネルに対するＡＣＫ／ＮＡＣＫを選択し、ＡＣＫ／ＮＡＣＫを上位層６５へ出力する。
【０１２５】
上記の第２の実施の形態のように、基地局装置が、同時に通信している移動局装置の数が多いか少ないかに応じて、移動局装置に割り当てる上りリンク制御チャネルの直交リソースを制限するかしないかを決定し、決定した結果を移動局装置に通知することで、基地局装置が、少数の移動局装置と通信している場合は、移動局装置に多くの上りリンク制御チャネルの直交リソースを割り当て、ＡＣＫ／ＮＡＣＫを詳細に送信できるようにし、基地局装置が、多数の移動局装置と通信している場合は、移動局装置に割り当てる上りリンク制御チャネルの直交リソースを制限し、移動局装置との通信を保つことができる。
【０１２６】
以上、第２の実施の形態では、基地局装置が、移動局装置に割り当てる上りリンク制御チャネルの直交リソースの数を制限するかしないかだけを通知したが、移動局装置に割り当てることのできる上りリンク制御チャネルの直交リソースの上限値を詳細に通知してもよい。この場合は、上限値に応じて、異なる表をＡＣＫ／ＮＡＣＫ多重記憶部４１ｄとＡＣＫ／ＮＡＣＫ多重記憶部９７ｆに記憶させておく必要がある。
【０１２７】
また、上りリンク制御チャネルの直交リソースの数を制限することを通知せずに、常に予め定められた上限値までの直交リソースまでを、移動局装置に割り当てるようにすることで、基地局装置から移動局装置への通知をするステップを省略することができる。
【０１２８】
また、上りリンク制御チャネルの直交リソースは、下りリンク制御チャネルの制御チャネル要素と対応付けられているため、自局装置の下りリンク制御チャネルの送信に用いられた制御チャネル要素に対応する上りリンク制御チャネルの直交リソースは他局装置に使われることはないため、もし同時に割り当てられる上りリンク制御チャネルの直交リソースの数が制限されていても、制限されている数よりも多くの制御チャネル要素で下りリンク制御チャネルを送信された移動局装置は、下りリンク制御チャネルの送信に用いられた制御チャネル要素の数までの上りリンク制御チャネルの直交リソースを用いるような構成にしてもよい。
【０１２９】
以上、第１の実施の形態から第２の実施の形態まで詳述してきたが、具体的な構成はこの実施の形態に限られるものではなく、例えば、周波数帯域集約をするキャリア要素の数を上りリンクと下りリンクで異なるようにしてもよい。また、キャリア要素の数を６つ以上にしてもよい。
【０１３０】
本発明に関わる基地局装置及び移動局装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１３１】
また、図７における受信処理部７、上位層１１、制御部９、送信処理部１５及び、図８における受信部２１、多重分離部２３、第１伝搬路補償部２５、第１復調部２７ａ、第１復号化部２７ｂ、伝搬路推定部、第２伝搬路補償部３３、第２復調部３５ａ、第２復号化部３５ｂ及び、図９におけるＡＣＫ／ＮＡＣＫ多重部４１ａ、ＡＣＫ／ＮＡＣＫ多重記憶部４１ｄ、ＱＰＳＫ変調部４１ｂ、拡散部４１ｃ、符号化部４３ａ、変調部４３ｂ、ＤＦＴ部４３ｃ、上りリンクリファレンスシグナル生成部５１、多重部４５、送信部４７及び、図１１における受信処理部６３、上位層６５、制御部６７、送信処理部７１及び、図１２における第１符号化部７３ａ、第１変調部７３ｂ、多重部７７、送信部７９、第２符号化部７５ａ、第２変調部７５ｂ、下りリンクリファレンスシグナル生成部８１及び、図１３における受信部９１、多重分離部９５、逆拡散部９７ａ、ＡＣＫ／ＮＡＣＫ検出部９７ｂ、第１伝搬路推定・補償部９７ｃ、ＱＰＳＫ復調部９７ｄ、ＡＣＫ／ＮＡＣＫ多重分離部９７ｅ、ＡＣＫ／ＮＡＣＫ多重記憶部９７ｆ、第２伝搬路推定・補償部１０１、ＩＤＦＴ部１０３ａ、復調部１０３ｂ、復号化部１０３ｃの機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【０１３２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【０１３３】
この発明は、無線通信を用いた通信が不可欠な用途にも適用できる。
【符号の説明】
【０１３４】
１…基地局装置、２…移動局装置、７…受信処理部、９…制御部、１１…上位層、１１ａ…無線リソース制御部、１５…送信処理部、２１…受信部、２３…多重分離部、２５…第１伝搬路補償部、２７…下りリンク制御チャネル受信処理部、２７ａ…第１復調部、２７ｂ…第１復号化部、３１…伝搬路推定部、３３…第２伝搬路補償部、３５…下りリンク共用チャネル受信処理部、３５ａ…第２復調部、３５ｂ…第２復号化部、４１…上りリンク制御チャネル送信処理部、４１ａ…ＡＣＫ／ＮＡＣＫ多重部、４１ｂ…ＱＰＳＫ変調部、４１ｃ…拡散部、４３…上りリンク共用チャネル送信処理部、４３ａ…符号化部、４３ｂ…変調部、４３ｃ…ＤＦＴ部、４５…多重部、４７…送信部、５１…上りリンクリファレンスシグナル生成部、６１…受信アンテナ、６３…受信処理部、６５…上位層、６５ａ…無線リソース制御部、６７…制御部、７１…送信処理部、７２…送信アンテナ、７３…下りリンク制御チャネル送信処理部、７３ａ…第１符号化部、７３ｂ…第１変調部、７５…下りリンク共用チャネル送信処理部、７５ａ…第２符号化部、７５ｂ…第２変調部、７７…多重部、７９…送信部、８１…下りリンクリファレンスシグナル生成部、９１…受信部、９５…多重分離部、９７…上りリンク制御チャネル受信処理部、９７ａ…逆拡散部、９７ｂ…ＡＣＫ／ＮＡＣＫ検出部、９７ｃ…第１伝搬路推定・補償部、９７ｄ…ＱＰＳＫ復調部、９７ｅ…ＡＣＫ／ＮＡＣＫ多重分離部、９７ｆ…ＡＣＫ／ＮＡＣＫ多重記憶部、１０１…第２伝搬路推定・補償部、１０３…上りリンク共用チャネル受信処理部、１０３ａ…ＩＤＦＴ部、１０３ｂ…復調部、１０３ｃ…復号化部。
【図１】
2010252257.tif 000003
【図２】
2010252257.tif 000004
【図３】
2010252257.tif 000005
【図４】
2010252257.tif 000006
【図５】
2010252257.tif 000007
【図６】
2010252257.tif 000008
【図７】
2010252257.tif 000009
【図８】
2010252257.tif 000010
【図９】
2010252257.tif 000011
【図１０】
2010252257.tif 000012
【図１１】
2010252257.tif 000013
【図１２】
2010252257.tif 000014
【図１３】
2010252257.tif 000015
【図１４】
2010252257.tif 000016
【図１５】
2010252257.tif 000017
【図１６】
2010252257.tif 000018
【図１７】
2010252257.tif 000019
【図１８】
2010252257.tif 000020